(57)【要約】【課題】  ネットワーク規模が大きくなるにつれて、ネットワークを構成するノード数とこれらを結ぶ結線の数は多くなり、トラフィックの滞留箇所が一箇所とは限らない。また、大規模ネットワークの某所でトラフィック滞留による転送上の停滞を引き起こしたとしても、その根本原因を特定するのは困難である。【解決手段】  ネットワーク構成情報であるノードとこれらを結ぶ線の形状でトラフィックの増減を表すといった個々の状況を提示するのではなく、LAN単位、VLAN単位といった管理ネットワーク単位でトラフィックを集約し、トラフィックの状態把握が容易にできるように可視化する。そこで、管理ネットワークの構成を階層化して、各階層の入出力量からネットワーク内部トラフィックを分類し、階層別入出力量のつりあいを可視化する。【選択図】  図1
2008227878.tif 000002
【特許請求の範囲】
【請求項１】
複数のノードから構成されるネットワークを管理するネットワーク管理装置において、
前記ノードのトラフィックに関する第1の情報を収集する収集部と、該第1の情報を前記ネットワークの管理単位で集約する集約部と、該集約した第2の情報を情報出力装置に送信する送信部を備えることを特徴とするネットワーク管理装置。
【請求項２】
請求項1記載のネットワーク管理装置において、
前記ネットワークの管理単位はLAN又はVLANであることを特徴とするネットワーク管理装置。
【請求項３】
請求項2記載のネットワーク管理装置において、
前記第1の情報は、前記ノードのトラフィックの入出力量に関する情報であり、
前記集約は、前記ネットワークにおいて、前記ネットワークの外へのトラフィックの出力量と、前記ネットワークの外からのトラフィックの入力量と、前記ネットワーク内において完結する入力量及び出力量についての集約であることを特徴とするネットワーク管理装置。
【請求項４】
請求項3記載のネットワーク管理装置において、
前記集約は、
前記集約した結果を、前記管理単位におけるトラフィックの入出力量を要素とするグラフにすることを特徴とするネットワーク管理装置。
【請求項５】
請求項4記載のネットワーク管理装置において、
前記集約は、
前記集約した結果を、前記管理単位においてトラフィックの増減が起こった場合、前記グラフの前記管理単位を表す部分の大きさ又は色を、前記増減に応じて変更することを特徴とするネットワーク管理装置。
【請求項６】
請求項4又は5記載のネットワーク管理装置において、
前記集約部は、
前記集約した結果を、前記ネットワークの管理単位においてトラフィックの増減が予め定めた量を超えた場合、及び前記ネットワークにおける前記管理単位のトラフィックのつり合いが予め定めた割合を超えた場合の少なくともいずれか一方において、前記グラフの前記管理単位を表す部分の大きさ又は色を、前記増減又は前記つり合いに応じて変更することを特徴とするネットワーク管理装置。
【請求項７】
請求項5又は6記載のネットワーク管理装置において、
前記ネットワーク管理装置は、
前記管理単位のトラフィック量が前記予め定めた量を超えた場合、及び前記管理単位のトラフィックのつり合いについて前記予め定めた割合を超えた場合のうち少なくともいずれか一方において、前記超えた場合の原因に関する第3の情報を記録した記録装置をさらに備え、
前記送信部は、
前記第3の情報を参照した前記変更の原因を、さらに前記情報出力装置に送信することを特徴とするネットワーク管理装置。
【請求項８】
請求項7記載のネットワーク管理装置において、
前記ネットワークの管理単位はLANであり、
前記ネットワーク管理部は、
前記ネットワークを、前記ネットワークと前記ネットワークが接続するWANとの境界にある前記ネットワーク内のノードを第1の階層、端末と接続するノードを第2の階層と分類し、
前記集約部は、
前記集約を、前記第1及び第2の階層について、前記ノードのトラフィックの入出量を計算し、前記LAN単位で行うことを特徴とするネットワーク管理装置。
【請求項９】
請求項8記載のネットワーク管理装置において、
前記記憶装置は、
前記第1及び第2の階層におけるトラフィックの入出力量の履歴である第4の情報と、前記LAN単位のトラフィックの入出力量の履歴である第5の情報を記録することを特徴とするネットワーク管理装置。
【請求項１０】
請求項7記載のネットワーク管理装置において、
前記ネットワークの管理単位はVLANであり、
前記ネットワーク管理部は、
前記ネットワークを、前記ネットワークと前記ネットワークが接続するWANとの境界にある前記ネットワーク内のノードを第1の階層、端末と接続するノードを第2の階層、前記第1の階層と前記第2の階層との間にあるノードを第3の階層と分類し、
前記集約部は、
前記集約を、前記第1乃至第3の階層について、前記VLAN単位で前記ノードのトラフィックの入出力量を分類及び計算し、前記VLAN単位で行うことを特徴とするネットワーク管理装置。
【請求項１１】
請求項10記載のネットワーク管理装置において、
前記記憶装置は、
前記第1乃至第3の階層におけるトラフィックの入出力量の履歴である第6の情報と、前記VLAN単位のトラフィックの入出力量の履歴である第7の情報を記憶することを特徴とするネットワーク管理装置。
【請求項１２】
請求項9又は11記載のネットワーク管理装置において、
前記ネットワーク管理単位を、前記ネットワークのトポロジを解析することにより認識するネットワーク管理部をさらに備えることを特徴とするネットワーク管理装置。
【請求項１３】
複数のノードから構成されるネットワークを管理するネットワーク管理方法において、
前記ノードのトラフィックに関する第1の情報を収集する第1のステップと、
前記第1の情報を前記ネットワークの管理単位で集約する第2のステップと、
前記第2のステップで集約した第2の情報を情報出力装置に送信する第3のステップとを有するネットワーク管理方法。
【請求項１４】
請求項13記載のネットワーク管理方法において、
前記ネットワークの管理単位はLAN又はVLANであることを特徴とするネットワーク管理方法。
【請求項１５】
請求項14記載のネットワーク管理方法において、
前記第1の情報は、前記ノードのトラフィックの入出力量に関する情報であり、
前記集約は、前記ネットワークにおいて、前記ネットワークの外へのトラフィックの出力量と、前記ネットワークの外からのトラフィックの入力量と、前記ネットワーク内において完結する入力量及び出力量についての集約であることを特徴とするネットワーク管理方法。
【請求項１６】
請求項15記載のネットワーク管理方法において、
前記第2のステップの後に、前記集約した結果を、前記管理単位におけるトラフィックの入出力量を要素とするグラフにする第4のステップをさらに有することを特徴とするネットワーク管理方法。
【請求項１７】
請求項16記載のネットワーク管理方法において、
前記管理単位においてトラフィックの増減が起こった場合、前記管理単位を表す部分の大きさ又は色を、前記増減に応じて変更する第5のステップをさらに有することを特徴とするネットワーク管理方法。
【請求項１８】
請求項16又は17記載のネットワーク管理方法において、
前記ネットワークの管理単位においてトラフィックの増減が予め定めた量を超えた場合、及び前記ネットワークにおける前記管理単位のトラフィックのつり合いが予め定めた割合を超えた場合の少なくともいずれか一方において、前記グラフの前記管理単位を表す部分の大きさ又は色を、前記増減又は前記つり合いに応じて変更する第6のステップをさらに有することを特徴とするネットワーク方法。
【請求項１９】
請求項18記載のネットワーク管理方法において、
前記第3のステップは、
前記管理単位のトラフィック量が前記予め定めた量を超えた場合、及び前記管理単位のトラフィックのつり合いについて前記予め定めた割合を超えた場合の少なくともいずれか一方において、前記超えた場合の原因に関する第3の情報をさらに前記情報出力装置に送信することを特徴とするネットワーク管理方法。
【請求項２０】
請求項19記載のネットワーク管理方法において、
前記ネットワークの管理単位はLANであり、
前記ネットワークを、前記ネットワークと前記ネットワークが接続するWANとの境界にある前記ネットワーク内のノードを第1の階層、端末と接続するノードを第2の階層と分類する第8のステップをさらに有し、
前記集約は、前記第1及び前記第2の階層について、前記ノードのトラフィックの入出力量を計算し、前記LAN単位で行うことを特徴とするネットワーク管理方法。
【請求項２１】
請求項19記載のネットワーク管理方法において、
前記ネットワークの管理単位はVLANであり、
前記ネットワークを、前記ネットワークと前記ネットワークが接続するWANとの境界にある前記ネットワーク内のノードを第1の階層、端末と接続するノードを第2の階層、前記第1の階層と前記第2の階層との間にあるノードを第3の階層と分類する第9のステップをさらに有し、
前記集約を、前記第1乃至第3の階層について、前記VLAN単位で前記ノードのトラフィックの入出力量を分類及び計算し、前記VLAN単位で行うことを特徴とするネットワーク管理方法。
【発明の詳細な説明】
【技術分野】
【０００１】
本発明は、ネットワーク管理技術に係わり、特にネットワークトラフィック情報を可視化して、ネットワーク性能を監視する技術に関する。
【背景技術】
【０００２】
企業ネットワークにおいて、ネットワークインフラの整備が進み、ネットワーク経由で、業務アプリケーションを実行したり、デジタルコンテンツを閲覧したり、IP電話やTV会議システムを利用することにより、ネットワークトラフィックは増加傾向にあり、ネットワーク転送性能に対する、高速化への要求が高まっている。
【０００３】
この問題を解決するためには、ネットワーク性能管理において、ネットワークトラフィックの状態を把握することが重要であり、その一つの方策としてネットワーク管理情報の効果的な収集と解析を行い、可視化することが考えられる。
【０００４】
特許文献1には、ネットワーク構成情報として、ネットワークを構成するノードとノード間接続を表す結線において、ネットワークトラフィックを結線の形状で表している。すなわち、ノード間を結ぶ接続線の形状によって、トラフィックの大小を表現している。
【０００５】
また、特許文献2には、広域ネットワーク（WAN）を介したサブネットワーク間のトラフィックを、サブネットワークとWANの中継点にトラフィックモニタ装置を接続して、本中継点を通過するトラフィックの送信元IPと受信先IPをサブネットワーク単位で集約して、表示している。
【０００６】
なお、ここで言うノードとは、ネットワークに接続されているコンピュータ、ハブ、ルータ、アクセスポイントなどのような機器のことを言う。
【０００７】
【特許文献１】特開平8-181711号公報
【特許文献２】特開2002-164894号公報
【発明の開示】
【発明が解決しようとする課題】
【０００８】
特許文献１記載の技術によれば、ノード間のトラフィックを、結線の形状により把握することができる。しかし、構内ネットワーク(LAN)内のノードが増大すると、それに伴ってノード間の結線の数も多くなり、トラフィック量が多いところは一箇所ではないため、その結線の大小だけでは判断が難しくなる。また、トラフィック量が多量であっても、転送性能が低下しているとは限らない。さらに、ネットワーク内の某所でトラフィック量が一時的に増えても遅延なく転送できるのであれば問題にならず、実際に対処しなければならない箇所の特定は難しく、また根本的な原因は把握できない。
【０００９】
特許文献2記載の技術は、トラフィックモニタ装置を設置した地点を通過するパケットを取得して、該パケットのヘッダに付与された送信元IPと受信先IPに基づいて、サブネットワーク間のトラフィック量を算出している。このため、トラフィックモニタ装置を設置した地点を通過しないパケットは収集できない。従って、トラフィックモニタ装置の設置場所が変わると、トラフィック量が変わる可能性がある。
【００１０】
そこで、本発明の目的は、上記課題のうち少なくとも一つを解決するために、ネットワークのトラフィックの状況把握を容易にする手段を提供することにある。
【課題を解決するための手段】
【００１１】
例えば、LAN単位、VLAN単位といった管理ネットワーク単位でトラフィックを集約する。
【００１２】
また、トラフィックの状態把握が容易にできるように可視化する。その際、管理ネットワークの構成を階層化して、各階層の入出力量からネットワーク内部トラフィックを分類し、階層別入出力量のつりあいを可視化する。
【発明の効果】
【００１３】
管理ネットワーク単位で、トラフィックの入出力量を表すことにより、トラフィックの方向性と状況変化を容易に把握することができる。
【００１４】
また、内部トラフィックを階層化し、各階層の入出力量のつりあいを可視化することにより、さらに本現象の要因を推測することができる。
【発明を実施するための最良の形態】
【００１５】
ネットワーク単位として、LAN単位、VLAN単位のそれぞれに対するトラフィックの収集、集約、可視化方法と、そこから推測できるトラフィック異常原因を示す。また、このための実装方法を示す。なお、以下の実施例において、同一の構造部を持ち、同一の符号を付した部分は、原則として同一の動作を行うため、重複する説明を省略した。
【実施例１】
【００１６】
図1及び図2は、LAN単位のトラフィックを収集、集約し、集約結果を可視化し、これから推測できるトラフィック異常原因を示している。
【００１７】
図1は、LAN単位トラフィックの収集、集約方法を示している。図1において、LANを構成するノードを階層化し、WANとの境界にあるノードgからなる層と、端末と接続するノードa、b、cからなる層とに分類する。ノードgは、例えばゲートウェイ、ノードa、b、cはスイッチが該当する。ノードgからWANへ出ていくトラフィック(101)と、WANからノードgへ入ってくるトラフィック(102)は、外部ネットワークとやりとりするLAN外向けトラフィックである。一方、端末からノードbへ入ってくるトラフィック(103)と、ノードbから端末へと出ていくトラフィック(104)は、転送範囲がLAN内限定のLAN内向けトラフィックと、外部ネットワークとやりとりするLAN外向けトラフィックの両方を含んでいる。そこで、LAN内向け入力トラフィック(105)は、a、b、cの各ノードの入力量からLAN外向け出力量を引き算して求める。また、LAN内向け出力トラフィック(106)は、a、b、cの各ノードの出力量からLAN外向け入力量を引き算して求める。
【００１８】
図2は、図1に基づいて収集、集約したトラフィック内訳を円グラフを用いて可視化したものである。LAN内向けトラフィックで、入力量に比べて出力量が多いことがわかる。また、トラフィックの増減が起こった際には、円グラフのサイズを大きくあるいは小さくしたり、色に変化をつけたりすることで、トラフィック量の増減をさらに視覚的に分かり易くすることもできる。尚、可視化については円グラフに限られず、例えば棒グラフのようにLANの内外のトラフィック量を見比べられるようなものであれば構わない。
【００１９】
ここで、図2の可視化したトラフィックを見てみると、LAN外向けトラフィックに対してLAN内向けトラフィックが多いことが見て取れる。さらに、LAN内向けトラフィックは入力量に比べて出力量が非常に多い事から、ブロードキャスト又はフラッディングが発生している可能性がある。このように、各トラフィック量を可視化することにより、トラフィックの異常の原因を推測することができる。
【００２０】
次に、本機能の実装方法を示す。図3は、管理ネットワーク単位にトラフィックを収集、集約し、可視化するための性能管理システム(300)のシステム構成である。監視サーバ(301)は、ネットワーク管理部(302)と、本発明を実現する機能をもつ性能管理部(303)を有する。ネットワーク管理部は、ネットワークのトポロジー解析(304)を実行し、ネットワーク構成要素であるノードの物理構成情報と、論理構成情報(305)を導出可能であり、ノードを階層化して分類を行う。性能管理部は、トラフィック監視部(306)を備える。また、性能管理システムは、監視結果を可視化するモニター(307)も備える。なお、該モニターは性能管理部が有していても良い。このうち、トラフィック監視部は、ネットワーク管理部が解析したネットワーク論理構成情報をもとに、監視テーブル作成処理(308)を行い、監視対象一覧からなる監視テーブル(309)を作成する。次に、性能情報収集処理(310)を行い、監視テーブルに登録された監視対象装置(311)から、Management Information Base(MIB)内のトラフィック情報をSimple Network Management Protocol(SNMP)を用いて収集し、収集情報(312)に格納する。そして、性能情報集約処理(313)を行って、ネットワーク管理部のネットワークのトポロジ解析及び分類を参照して収集情報を集約し、集約結果を集約情報(314)に格納し、この集約情報を送信部(315)によりモニターへ送信する。モニターでは、集約情報を可視化する。尚、この302及び303は、プログラムとしてサーバにインストールする形を取ってもよく、またMIB及びSNMPは、ネットワーク内に置ける各装置のトラフィックを入手できる手段であればこれに限定されない。
【００２１】
また、図示はしていないが、上記のシステム及び装置はCPUや記憶装置、入出力装置など、情報処理装置として処理を行う上で必要となる構成を備え、各部による処理はそれぞれのハードウェアが連携して行う。これについては以下の実施例についても同様である。
【００２２】
図4は、LANであるサブネットワーク1内のノードを階層化した構成図である。WANに接続するノードからなる層を境界層(401)とし、端末に接続するノードからなる層を末端層(402)とする。境界層には、ノードgが含まれ、末端層にはノードa、b、cが含まれる。
【００２３】
図5は、図4で示したサブネットワーク1のトラフィックを収集するための監視テーブルである。監視テーブルは、階層的な木構造からなり、リーフに登録された管理オブジェクトのトラフィック量を収集する。サブネット(501)の配下に、境界層(502)と末端層(503)がある。境界層の配下には、ノード(504)があり、ノードの下にインターフェイス(505)がある。一方、末端層の配下には、ノード(506)があり、ノードの下にインターフェイス(507)がある。
【００２４】
図6は、図5で示した監視テーブルに基づいて収集した結果を格納する収集テーブルである。図6の収集テーブルは、階層別(601)にノード(602)で分類し、各ノードのインターフェイス(603)毎に入力量(604)と出力量(605)を格納するように構成されている。また、末端層においては、ノード毎に、各インターフェイスの入力量および出力量の総和(606)を求め、さらに末端層に属する各ノードの入力量および出力量の総和(607)を求める。
【００２５】
図7は、図6で示した収集テーブルの結果を集約して格納する集約テーブルである。図7のサブネット別集約テーブル(710)は、日時(711)毎のトラフィック量の履歴情報を保持する。サブネット別集約テーブルのトラフィック量は、サブネット毎に、LAN外向けトラフィック(712)とLAN内向けトラフィック(713)に分類して格納する。また、LAN外向けトラフィックは、入力量(714)と出力量(715)からなり、LAN内向けトラフィックも同じく、入力量(716)と出力量(717)からなる。サブネット別集約テーブルを統合して、サブネット集約テーブル(720)を作成することもできる。サブネット集約テーブルは、各サブネット(721)の外部向けトラフィック入出力量の履歴情報を格納する。この履歴により、トラフィックの増減が起こったときに、その前後の時刻の稼動状況やシステムの影響を見れば、原因を把握することができる。また、セキュリティの観点から、外部からの不正侵入や内部の情報漏洩の有無も見つけることができる。
【００２６】
図8は、サブネット集約テーブルを可視化した結果である。出力トラフィックに対して入力トラフィックが少ないことから、サブネット1およびサブネット3から送信されたデータが相手先に届いていないことがわかる。このことから、サブネット1およびサブネット3からの送信トラフィックが合流するノードで、転送不良を起こしていることが推測でき、異常状態の検知と原因の推測ができる。
【００２７】
また、図3で示した監視サーバにさらに記憶装置を備え、その記憶装置に、例えば上記で示したようなLANの内向けトラフィックの異常時の原因など、ネットワークにおける入出力のつりあいから導かれる異常時の原因を示した情報を記憶しておき、トラフィック量が一定量を超えた場合など予め規則を定めておき、ネットワーク内の各装置のトラフィック量を計算し、収集テーブルや集約テーブルなどの情報を参照して、ネットワークの環境が規則に合致した場合に、可視化したトラフィック量と共に自動的に考えられる異常の原因を提示するような構成にしてもよい。また、図2で示したようなトラフィック分布を表すグラフにおいて、異常が起こった際にグラフを大きくあるいは小さくしたり、色に変化をつけたりすることで、トラフィックの異常をさらに視覚的に分かり易くすることもできる。また、監視テーブル、収集テーブル、集約テーブルは、本記憶装置が有していても良い。
【実施例２】
【００２８】
図9から図11は、VLAN単位のトラフィック収集、集約方法と、可視化結果とこれに基づく発生要因を示している。
【００２９】
図9は、サブネットワークが、複数のVLANから成るネットワークを示している。
【００３０】
図10は、サブネットワーク内のトラフィックを、VLAN別に分類し、各VLANのトラフィックをVLAN内、VLAN間、VLAN外向けトラフィックに分類するための、収集および集約方法を示す。
【００３１】
まず、サブネットワーク内のノードを、外部ネットワークと接続しているノードgと、端末と接続しているノードa、b、cと、それ以外のノードからノードへと中継するノードx、y、zに分類することにより、サブネットワークのノードを階層化する。
【００３２】
次に、各階層で、VLAN別にトラフィックを分類する。ノードgでは、外部ネットワークとのインターフェイスに対して、VLAN別に割り当てられた仮想IPアドレスでトラフィックを分類し、中継ノードx、y、zではVLAN_IDでトラフィックを分類し、端末直結のノードa、b、cでは、VLAN毎に割り当てられたインターフェイスでトラフィックを分類する。
【００３３】
ここで、VLAN2に対するトラフィックの収集、集約方法を例示する。
【００３４】
まず、ノードgの外部ネットワークとのインターフェイスに割り当てられたVLAN2に対する仮想IPアドレスにおける出力量(1001)と入力量(1002)を収集する。
【００３５】
次に、中継ノードx、y、zにおいて、VLAN毎の入力量を収集し、これらの総和(1003)を計算する。同様に、中継ノードx、y、zにおいて、VLAN毎の出力量を収集し、これらの総和(1004)を計算する。
【００３６】
そして、端末と接続しているノードa、b、cにおいて、VLAN2に割り当てられたインターフェイスに対する入力量を収集し、これらの総和(1005)を計算する。同様に、VLAN2に割り当てられたインターフェイスに対する出力量を収集し、これらの総和(1006)を計算する。
ここで、(1001)と(1002)は、VLAN2が外部ネットワークとやりとりする外部向けトラフィックであり、(1003)と(1004)には、外部ネットワークおよびサブネット内の他VLANとやりとりする他VLAN向けトラフィックが含まれ、(1005)と(1006)には、外部ネットワーク、他VLAN、VLAN内部向けのトラフィックが含まれる。このことから、VLAN2から他VLANへ流出するトラフィック量は(1007)、他VLANからVLAN2へ流入するトラフィック量は(1008)となる。また、VLAN2内部のみに伝送される入力量は(1009)、出力量は(1010)となる。さらに、VLAN2からの総入力量は(1005)、VLAN2への総出力量は(1006)となる。
【００３７】
図11は、VLAN別入出力量を可視化した結果である。ここでは、VLAN2のトラフィック量がVLAN1およびVLAN3に比べて多く、VLAN2トラフィックの入力量が出力量に比べて多いことがわかる。
【００３８】
図12は、VLAN2トラフィックを分類して可視化した結果である。ここでは、VLAN間トラフィックの入力量が多量に発生していることがわかる。
【００３９】
ここで、図12の可視化したトラフィックを見てみると、VLAN間の入力量がLANの内外に比べて大きいことが見て取れる。この場合、VLAN2に入力するトラフィックはVLAN2内へと多量に流入するが、中継ノードでの転送に失敗して、VLAN2の外へ流出できないために、輻輳が発生し、VLAN2の端末からの入力量が増大している可能性がある。
【００４０】
次に、本機能の実装方法を示す。実装するためのシステム構成は、実施例1で使用した図3記載の性能管理システムである。
【００４１】
図13は、複数のVLANからなるサブネットワーク1内のノードを階層化した構成図である。WANに接続するノードからなる層を境界層(1301)とし、端末に接続するノードから3なる層を末端層(1303)とし、それ以外のノード間を接続するノードからなる層を中継層(1302)する。境界層には、ノードgが含まれ、中継層にはノードx、yが含まれ、末端層にはノードa、b、cが含まれる。
【００４２】
図14は、図13で示したサブネットワーク１のトラフィックを収集するための監視テーブルである。監視テーブルは、階層的な木構造からなり、リーフに登録された管理オブジェクトのトラフィック量を収集する。サブネット(1401)の配下に、境界層(1402)、中継層(1403)、末端層(1404)がある。境界層の配下には、ノード(1405)があり、ノードの下にインターフェイス(1406)があり、インターフェイスの下にVLAN別の仮想IPアドレス(1407)がある。中継層の配下には、ノード(1408)があり、ノードの下にVLAN別トラフィック量(1409)がある。末端層の配下には、ノード(1410)があり、ノードの下にVLAN(1411)別にインターフェイス(1412)がある。
【００４３】
図15は、図14で示した監視テーブルに基づいて収集した結果を格納するVLAN別収集テーブル(1500)である。VLAN別収集テーブルは、階層別(1501)にノード(1502)を分類し、各ノードのインターフェイス1503毎に入力量1504と出力量1505を格納するように構成されている。ただし、中継層においては、各ノードでVLAN毎の入出力量を格納した後、各ノードのVLAN別入出力量の総和(1506)を求める。また、末端層においては、各ノードでVLANに割り当てられたインターフェイスの入出力量を格納した後、各インターフェイスの入出力量の総和(1507)を求める。
【００４４】
図16は、図15で示したVLAN別収集テーブルの結果を集約して格納するVLAN別集約テーブル(1610)である。VLAN別集約テーブルは、日時(1611)毎のトラフィック量の履歴情報を保持する。VLAN別集約テーブルのトラフィック量は、VLAN毎に、VLAN全体トラフィック(1612)、LAN外向けトラフィック(1613)、VLAN間向けトラフィック(1614)、VLAN内向けトラフィック(1615)に分類して格納する。また、各トラフィックは入力量および出力量からなる。VLAN別集約テーブルを統合して、VLAN集約テーブル(1620)を作成することもできる。VLAN集約テーブルは、日時 (1621) 毎の 各VLAN全体トラフィック入出力量の履歴情報を格納する。これにより、実施例1で述べた履歴情報による利点を得ることができる。
【図面の簡単な説明】
【００４５】
【図１】実施例1のLAN単位トラフィックの収集、集約方法を示す図
【図２】実施例1の集約したトラフィック内訳を可視化した図
【図３】実施例のネットワーク性能管理システムの構成
【図４】実施例1のサブネットワーク1内のノードを階層化した構成図
【図５】実施例１のトラフィック収集のための監視テーブル
【図６】実施例１の収集テーブル
【図７】実施例1の集約テーブル
【図８】実施例1のサブネット集約テーブルを可視化した結果
【図９】実施例2の管理対象である複数のVLANから成るネットワーク
【図１０】実施例2のVLAN別トラフィックを分類するための、収集、集約方法を示す図
【図１１】実施例2のVLAN別入出力量を可視化した結果
【図１２】実施例2のVLAN2トラフィックを分類して可視化した結果
【図１３】実施例2のVLAN内のノードを階層化した構成図
【図１４】実施例2のトラフィック収集のための監視テーブル
【図１５】実施例2のVLAN別収集テーブル
【図１６】実施例2の集約テーブル
【符号の説明】
【００４６】
101…WANへ出ていくトラフィック、102…WANから入っているトラフィック、103…端からノードへ入ってくるトラフィック、104…ノードから端末へと出ていくトラフィック、105…LAN内向け入力トラフィック、106…LAN内向け出力トラフィック、300…性能管理システム、301…監視サーバ、302…ネットワーク管理基盤ソフトウェア、303…性能管理ツール、304…トポロジー解析処理、305…論理構成情報、306…トラフィック監視部、307…モニター、308…監視テーブル作成処理部、309…監視テーブル、310…性能情報収集処理部、311…監視対象装置、312…収集情報、313…性能情報集約処理部、314…集約情報、315…送信部、710…サブネット別集約テーブル、720…サブネット集約テーブル、1001…VLAN2から外部ネットワークへ出ていくトラフィック、1002…VLAN2へ外部ネットワークから入ってくるトラフィック、1003…VLAN2から外部ネットワークおよびサブネット内の他VLANへ出ていくトラフィック、1004…VLAN2へ外部ネットワークおよびサブネット内の他VLANから入ってくるトラフィック、100５…VLAN2からの総入力トラフィック、100６…VLAN2への総出力トラフィック、1007…VLAN2から他VLANへ流出するトラフィック、1008…他VLANからVLAN2へ流入するトラフィック、1009…VLAN2内部のみに伝送される入力トラフィック、1010…VLAN2内部のみに伝送される出力トラフィック、1500…VLAN別収集テーブル、1610…VLAN別集約テーブル、1620…VLAN集約テーブル
【図１】
2008227878.tif 000003
【図２】
2008227878.tif 000004
【図３】
2008227878.tif 000005
【図４】
2008227878.tif 000006
【図５】
2008227878.tif 000007
【図６】
2008227878.tif 000008
【図７】
2008227878.tif 000009
【図８】
2008227878.tif 000010
【図９】
2008227878.tif 000011
【図１０】
2008227878.tif 000012
【図１１】
2008227878.tif 000013
【図１２】
2008227878.tif 000014
【図１３】
2008227878.tif 000015
【図１４】
2008227878.tif 000016
【図１５】
2008227878.tif 000017
【図１６】
2008227878.tif 000018